(57)【特許請求の範囲】
【請求項１】
ラベルを印字する商品が入力された後、入力された商品のラベルの印字指示が入力された場合に、入力された商品のラベルを印字する第１印字モード、またはラベルを印字する商品が入力された後、前記印字指示の入力を待たずに、入力された商品のラベルを印字する第２印字モードに従って、入力された商品のラベルを印字する印字部と、
前記第１印字モードに従ってラベルを印字する場合のみ、商品が入力された後かつ当該入力された商品のラベルの印字前に、入力された商品の品番が表示された品番入力欄および当該品番入力欄に商品の品番を入力可能なテンキーを含む第１の画面を表示部に表示させる表示制御部と、を備え、
前記印字部は、前記第１の画面の前記品番入力欄に表示された品番の商品のラベルを印字するプリンタ。
【請求項２】
前記表示制御部は、前記第１印字モードに従ってラベルを印字する場合のみ、商品が入力された後かつ当該入力された商品のラベルの印字前に、入力された商品のラベルの印字枚数を入力するためのテンキー、当該テンキーにより入力された前記印字枚数を表示する枚数入力欄およびラベルに印字する印字情報を含む第２の画面を前記表示部に表示させ、
前記印字部は、前記第２の画面に表示された前記印字情報を含むラベルを、前記枚数入力欄に表示された前記印字枚数印字する請求項１に記載のプリンタ。
【請求項３】
前記表示制御部は、前記第１印字モードまたは前記第２印字モードに切り替えを要求可能な第３の画面を前記表示部に表示させ、
前記印字部は、前記第３の画面において切り替えられた前記第１印字モードまたは前記第２印字モードに従って、入力された商品のラベルを印字する請求項１または２に記載のプリンタ。
【請求項４】
前記表示制御部は、前記第２印字モードに切り替えられたことを表すモード表示を前記表示部に表示する請求項１から３のいずれか一に記載のプリンタ。
【請求項５】
前記表示制御部は、前記第１の画面の表示に先立って、ラベルを印字する商品を入力するためのボタンを含む第４の画面を前記表示部に表示させ、
前記第１の画面は、前記第４の画面を用いて入力された商品の品番が表示された前記品番入力欄を含む請求項１から４のいずれか一に記載のプリンタ。
【請求項６】
ラベルを印字する商品が入力された後、入力された商品のラベルの印字指示が入力された場合に、入力された商品のラベルを印字する第１印字モード、またはラベルを印字する商品が入力された後、前記印字指示の入力を待たずに、入力された商品のラベルを印字する第２印字モードに従って、入力された商品のラベルを印字するプリンタを制御するコンピュータを、
前記第１印字モードに従ってラベルを印字する場合のみ、商品が入力された後かつ当該入力された商品のラベルの印字前に、入力された商品の品番が表示された品番入力欄および当該品番入力欄に商品の品番を入力可能なテンキーを含む第１の画面を表示部に表示させる表示制御部と、
前記第１の画面の前記品番入力欄に表示された品番の商品のラベルを前記プリンタに印字させる印字制御部と、
として機能させるためのプログラム。
【発明の詳細な説明】
【技術分野】
【０００１】
本発明の実施形態は、プリンタおよびプログラムに関する。
【背景技術】
【０００２】
従来、商品のラベルを印字する際、ラベルを印字する商品を受け付け、受け付けた商品のラベルの印字に関わる印字情報（例えば、品番や価格等）を表示し、かつラベルの印字指示を受け付けることにより、ラベルの印字が行われていた。そのため、店舗が混在時に早急にラベルを印字したい場合、商品を受け付けた後に、さらにラベルの印字指示を受け付けなければならないため、ラベルの印字に時間がかかっていた。
【０００３】
そこで、１つのボタン操作で、商品の受け付けとラベルの印字指示の受け付けとを同時に行う機能を有するプリンタが開示されている。
【発明の概要】
【発明が解決しようとする課題】
【０００４】
しかしながら、１つのボタン操作で、商品の受け付けとラベルの印字指示の受け付けとを同時に行う機能をプリンタに持たせた場合、店舗が混雑しておらず、ラベルに印字する印字情報を確認した上でラベルの印字指示を行いたい場合も、ラベルの印字指示を待たずにラベルの印字が開始されてしまう、という課題がある。
【課題を解決するための手段】
【０００５】
実施形態のプリンタは、印字部と、表示制御部と、を備える。前記印字部は、ラベルを印字する商品が入力された後、入力された商品のラベルの印字指示が入力された場合に、入力された商品のラベルを印字する第１印字モード、またはラベルを印字する商品が入力された後、前記印字指示の入力を待たずに、入力された商品のラベルを印字する第２印字モードに従って、入力された商品のラベルを印字する。前記表示制御部は、前記第１印字モードに従ってラベルを印字する場合のみ、商品が入力された後かつ当該入力された商品のラベルの印字前に、入力された商品の品番が表示された品番入力欄および当該品番入力欄に商品の品番を入力可能なテンキーを含む第１の画面を表示部に表示させる。
【図面の簡単な説明】
【０００６】
【図１】図１は、本実施形態にかかるラベルプリンタの外観斜視図である。
【図２】図２は、本実施形態にかかるラベルプリンタの概略構成を示すブロック図である。
【図３】図３は、ＲＡＭに記憶されているＳＫＦＣファイルを示す図である。
【図４】図４は、ＲＡＭに記憶されているＰＬＵファイルを示す図である。
【図５】図５は、ＲＡＭに記憶されているフォーマットファイルを示す図である。
【図６】図６は、本実施形態にかかるラベルプリンタの機能構成を示すブロック図である。
【図７】図７は、ラベルの印字方法に係る設定を入力する画面の一例を示す図である。
【図８】図８は、ラベルの印字に係る設定を入力する画面の一例を示す図である。
【図９】図９は、通常印字に切り替えられた場合におけるラベルの印字処理の流れを示すフローチャートである。
【図１０】図１０は、通常印字に切り替えられた場合にＬＣＤに表示される画面の一例を示す図である。
【図１１】図１１は、即時印字に切り替えられた場合におけるラベルの印字処理の流れを示すフローチャートである。
【図１２】図１２は、即時印字に切り替えられた場合にＬＣＤに表示される画面の一例を示す図である。
【発明を実施するための形態】
【０００７】
以下、本実施形態にかかるラベルプリンタについて説明する。
【０００８】
図１は、本実施形態にかかるラベルプリンタの外観斜視図である。本実施形態にかかるラベルプリンタ１は、オペレータに情報を表示するとともにオペレータからの指示を受け付ける表示入力部１１、商品のラベルＬを発行するラベル発行口１２などを有している。
【０００９】
図２は、本実施形態にかかるラベルプリンタの概略構成を示すブロック図である。本実施形態にかかるラベルプリンタ１は、制御部としてのＣＰＵ（Central  Processing  Unit）２１と、制御プログラムや固定データ等を記憶するフラッシュＲＯＭ（Read  Only  Memory）２２と、商品を示す商品情報を記憶するＰＬＵ（Price  Look  Up）ファイルＦ１、表示入力部１１が有する表示部としてのＬＣＤ（Liquid  Crystal  Display）１１ａに表示するキーであってラベルＬを印字する商品を入力する商品毎のワンタッチキーそれぞれに表示する商品情報を記憶するＳＫＦＣ（Self  Function  Key  Control）ファイルＦ２、およびラベルＬの印字に用いる複数の種類のラベルフォーマットを記憶するフォーマットファイルＦ３を記憶するとともにワークエリアを有するＲＡＭ（Random  Access  Memory）２３と、上位装置からの各種設定データの送受信を行うためのネットワークインタフェース２９と、表示入力部１１が有するＬＣＤ１１ａの表示面に積層配置されてタッチ指定可能なタッチパネル１１ｂからの入力データを取り込むキーコントローラ２４と、表示入力部１１のＬＣＤ１１ａの各種設定画面の表示およびＬＥＤ２６の表示を行う表示コントローラ２５と、設定されたラベルフォーマット等に従ってラベルＬを印字するプリンタ２７を制御するプリンタエンジン２８と、ラベルＬを印字する際に使用する透過，反射，温度等の各種センサ３０とデータの受け渡しを行うＩ／Ｏポート３１と、を備えている。
【００１０】
また、ＣＰＵ２１と、フラッシュＲＯＭ２２、ＲＡＭ２３、ネットワークインタフェース２９、キーコントローラ２４、表示コントローラ２５、プリンタエンジン２８、Ｉ／Ｏポート３１とはバスラインによって接続されている。
【００１１】
図３は、ＲＡＭに記憶されているＳＫＦＣファイルを示す図である。キー番号は、ワンタッチキーそれぞれに対応する番号である。そして、ＳＫＦＣファイルＦ２は、キー番号に対応付けて、割付コード、キー表示名称、キー種別、キーサイズ、キー色、文字サイズ、文字色など、ワンタッチキーの表示に用いる情報を記憶している。
【００１２】
割付コードは、６桁の商品コードなど、キー番号に割り付けるコードである。キー表示名称は、ワンタッチキーにより入力される商品名など、ワンタッチキーに表示するキーの名称である。キー種別は、ワンタッチキーにより入力する商品コードなど、商品それぞれに対応する番号（以下、品番とする）である。キーサイズは、ワンタッチキーの大きさである。キー色は、ワンタッチキーの表示色である。文字サイズは、ワンタッチキーに表示される文字の大きさである。文字色は、ワンタッチキーに表示する文字の色である。
【００１３】
図４は、ＲＡＭに記憶されているＰＬＵファイルを示す図である。品番は、６桁の商品コードなど、商品それぞれに対応する番号である。そして、ＰＬＵファイルＦ１は、品番に対応付けて、あいうえお検索、分類コード、バーコード作成タイプ、ＪＡＮコード、商品コード、フォーマットコードなど、商品を示す商品情報を記憶している。
【００１４】
あいうえお検索には、商品名の頭文字が割り付けられる。分類コードは、商品が属する分類を表す６桁のコードである。バーコード作成タイプは、商品のラベルＬに印字するバーコードのタイプを表す２桁のコードである。ＪＡＮコードは、共通する商品の１３桁の共通商品コードである。商品コードは、６桁の商品コードである。フォーマットコードは、商品のラベルＬの印字に用いるラベルフォーマットのコードである。
【００１５】
図５は、ＲＡＭに記憶されているフォーマットファイルを示す図である。フォーマットコードは、商品のラベルＬの印字に用いるラベルフォーマットのコードである。そして、フォーマットファイルＦ３は、フォーマットコードに対応付けて、パラメータレングス、文字列番号、基点Ｘ座標、基点Ｙ座標、横倍率／文字幅／グラフィックデータ幅、縦倍率／文字高さ／グラフィックデータ高さ、文字種別／グラフィックデータ種別などのフォーマットなど、ラベルＬの印字に用いるラベルフォーマットを記憶している。
【００１６】
次に、図６を用いて、本実施形態にかかるラベルプリンタ１の機能構成について説明する。図６は、本実施形態にかかるラベルプリンタの機能構成を示すブロック図である。図６に示すように、ラベルプリンタ１のＣＰＵ２１は、フラッシュＲＯＭ２２に記憶された制御プログラムを順次実行することにより、表示制御部２１１、第１受付部２１２、第２受付部２１３、切替部２１４、印字制御部２１５としての機能を備える。
【００１７】
表示制御部２１１は、ラベルＬを印字する商品を入力するワンタッチキー（商品受付ボタン）をＬＣＤ１１ａに表示する。具体的には、表示制御部２１１は、ＳＫＦＣファイルＦ２から、キー番号と対応付けて記憶された、ワンタッチキーの表示に用いる情報（例えば、キー表示名称、キー種別、キーサイズ、キー色、文字サイズ、文字色など）を読み出す。そして、表示制御部２１１は、読み出した情報を用いて、ワンタッチキーをＬＣＤ１１ａに表示する（図１０参照）。
【００１８】
また、表示制御部２１１は、ワンタッチキーにより入力された商品の品番や消費期限や値段など、当該ワンタッチキーにより入力された商品のラベルＬの印字に関わる印字情報をＬＣＤ１１ａに表示する（図１０参照）。また、表示制御部２１１は、印字情報とともに、当該印字情報（例えば、入力された商品のラベルＬを印字する印字枚数など）を入力する入力欄をＬＣＤ１１ａに表示するものとする（図１０参照）。
【００１９】
また、表示制御部２１１は、ラベルＬの印字中に、ラベルＬの印字中止を要求する中止ボタン１００８またはラベルＬの印字の一時停止を要求する停止ボタン１００９をＬＣＤ１１ａに表示する（図１０参照）。
【００２０】
また、表示制御部２１１は、通常印字または即時印字への切り替えを要求する切替ボタンをＬＣＤ１１ａに表示する（図７参照）。ここで、通常印字とは、入力された商品のラベルＬの印字に関わる印字情報をＬＣＤ１１ａに表示した後、後述する第２受付部２１３によって印字指示を受け付けた場合に、表示した印字情報に従って商品のラベルＬを印字する第１印字モードである。一方、即時印字は、商品毎に予め設定された印字情報をラベルＬに印字する第２印字モードである。
【００２１】
なお、図示しないが、ＲＡＭ２３は、商品毎に、当該商品の消費期限や品番や値段、当該商品のラベルを印字する際の印字枚数などの印字情報を記憶する印字情報テーブルを記憶しているものとする。そして、即時印字に切り替えられた場合、ラベルプリンタ１は、ＲＡＭ２３に記憶された印字情報テーブルから、ワンタッチキーにより入力された商品の印字情報を読み出す。そして、ラベルプリンタ１は、読み出した印字情報に従って、ワンタッチキーにより入力された商品のラベルＬを印字する。
【００２２】
さらに、表示制御部２１１は、ラベルＬを印字する際に、ＰＬＵファイルＦ１に記憶されたラベルフォーマットコートが表すラベルフォーマット（つまり、商品毎に予め設定されたラベルフォーマット）を用いてラベルＬを印字するか、若しくは商品間において同一のラベルフォーマットを用いてラベルＬを印字するかを入力するフォーマットボタンをＬＣＤ１１ａに表示する（図８参照）。
【００２３】
第１受付部２１２は、ラベルＬを印字する商品を受け付けるものである。本実施形態では、第１受付部２１２は、ＳＫＦＣファイルＦ２から、タッチ指定されたワンタッチキーのキー番号と対応付けて記憶された品番（キー種別）を読み出す。そして、第１受付部２１２は、読み出した品番が示す商品を受け付けるものとする。
【００２４】
第２受付部２１３は、表示制御部２１１によってＬＣＤ１１ａ（画面Ｘ３）に印字情報が表示された後に、第１受付部２１２により受け付けた商品のラベルＬの印字指示を受け付けるものである。本実施形態では、第２受付部２１３は、ＬＣＤ１１ａに印字情報が表示された後、ラベルプリンタ１が備える固定キーに含まれる確定／発行キー１３が押下された場合に、受け付けた商品のラベルの印字指示を受け付けるものとする。
【００２５】
切替部２１４は、通常印字または即時印字に切り替えるものである。本実施形態では、切替部２１４は、表示制御部２１１によってＬＣＤ１１ａに表示された切替ボタンによる通常印字または即時印字への切り替えの要求（切替ボタンの操作）に応じて、通常印字または即時印字に切り替えるものとする。
【００２６】
印字制御部２１５は、通常印字に切り替えられた場合、第２受付部２１３により印字指示を受け付けた後に、ＬＣＤ１１ａに表示された印字情報に従ってプリンタ２７を制御してラベルＬを印字する。これにより、プリンタ２７は、通常印字に切り替えられた場合、第２受付部２１３により印字指示を受け付けた後に、ＬＣＤ１１ａに表示された印字情報に従って、第１受付部２１２により受け付けた商品のラベルＬを印字する。
【００２７】
一方、印字制御部２１５は、即時印字に切り替えられた場合、第１受付部２１２により受け付けた商品に予め設定された印字情報に従ってプリンタ２７を制御してラベルＬを印字する。これにより、プリンタ２７は、即時印字に切り替えられた場合、第１受付部２１２により受け付けた商品に予め設定された印字情報に従って、当該受け付けた商品のラベルＬを印字する。
【００２８】
次に、図７〜１２を用いて、本実施形態にかかるラベルプリンタ１におけるラベルＬの印字処理について詳細に説明する。図７は、ラベルの印字方法に係る設定を入力する画面の一例を示す図である。図８は、ラベルの印字に係る設定を入力する画面の一例を示す図である。図９は、通常印字に切り替えられた場合におけるラベルの印字処理の流れを示すフローチャートである。図１０は、通常印字に切り替えられた場合にＬＣＤに表示される画面の一例を示す図である。図１１は、即時印字に切り替えられた場合におけるラベルの印字処理の流れを示すフローチャートである。図１２は、即時印字に切り替えられた場合にＬＣＤに表示される画面の一例を示す図である。
【００２９】
本実施形態では、ラベルプリンタ１は、ラベルＬの印字処理を行う前に、表示制御部２１１が、図７に示すように、ラベルＬの印字方法に係る設定を入力するための画面であって、通常印字または即時印字への切り替えを要求する切替ボタン７０１、ワンタッチキーのサイズを設定するボタンサイズボタン７０２等が配置された画面をＬＣＤ１１ａに表示する。切替部２１４は、図７に示す画面に配置された切替ボタン７０１の操作に応じて、通常印字または即時印字に切り替える。
【００３０】
また、表示制御部２１１は、ラベルＬの印字処理を行う前に、ラベルＬの印字に係る設定を入力する画面であって、図８に示すように、ラベルＬに商品の加工日を印字するかを設定する加工日ボタン８０１、ラベルＬに消費期限を印字するかを設定する消費期限ボタン８０２、ラベルＬを印字する際に、ＰＬＵファイルＦ１に商品毎に記憶されたフォーマットコードが示すラベルフォーマットを用いてラベルＬを印字するか若しくは商品間において同一の予め設定されたラベルフォーマットを用いてラベルＬを印字するかを入力するフォーマットボタン８０３等が配置された画面をＬＣＤ１１ａに表示する。
【００３１】
ラベルＬの印字方法やラベルＬの印字に係る設定の入力が完了すると、表示制御部２１１は、切替部２１４により通常印字および即時印字のうちいずれに切り替えられたかを判断する。
【００３２】
まず、図９および図１０を用いて、切替部２１４により通常印字に切り替えられた場合の印字処理について説明する。通常印字に切り替えられると、表示制御部２１１は、ワンタッチキー１００１、リストボタン１００２、品番発行ボタン１００３、発行設定ボタン１００４、剥離発行ボタン１００５等が配置された画面Ｘ１をＬＣＤ１１ａに表示する。
【００３３】
ここで、ワンタッチキー１００１は、上述したように、ラベルＬを印字する商品を入力するためのキーである。リストボタン１００２は、ＰＬＵファイルＦ１に品番が記憶された商品のリストの表示を要求するボタンである。品番発行ボタン１００３は、ラベルＬを印字する商品の品番の入力を要求するボタンである。発行設定ボタン１００４は、ラベルＬの印字に用いるラベルフォーマットのフォーマットコードの入力を要求するボタンである。剥離発行ボタン１００５は、ラベルＬを台紙から剥離して発行することを要求するボタンである。
【００３４】
第１受付部２１２は、画面Ｘ１がＬＣＤ１１ａに表示されると、ワンタッチキー１００１がタッチ指定されるのを待つ（ステップＳ９０１）。
【００３５】
ワンタッチキー１００１がタッチ指定されると（ステップＳ９０１：Ｙｅｓ）、第１受付部２１２は、ＳＫＦＣファイルＦ２から、タッチ指定されたワンタッチキー１００１のキー番号と対応付けて記憶された品番の読み出しを行う（ステップＳ９０２）。そして、ＳＫＦＣファイルＦ２から品番が読み出された場合（ステップＳ９０３：Ｎｏ）、表示制御部２１１は、テンキー１０１０、入力欄１０１１、商品名１０１２、ワンタッチボタン１００６、リストボタン１００２、発行設定ボタン１００４、剥離発行ボタン１００５等が配置された画面Ｘ２をＬＣＤ１１ａに表示する。
【００３６】
ここで、テンキー１０１０は、ラベルＬを発行する商品の品番を入力するためのキーである。入力欄１０１１は、読み出された品番またはテンキー１０１０により入力された品番を表示する欄である。商品名１０１２は、テンキー１０１０により入力された品番に対応する商品の商品名である。ワンタッチボタン１００６は、画面Ｘ１の表示を要求するボタンである。
【００３７】
その後、第１受付部２１２は、読み出した品番（または入力欄１０１１に入力された品番）が示す商品を受け付ける。第１受付部２１２により商品が受け付けられると、印字制御部２１５は、ＰＬＵファイルＦ１から、ステップＳ９０２において読み出した品番と対応付けて記憶されたフォーマットコードを読み出すとともに、ＳＫＦＣフォーマットファイルＦ３から、読み出したフォーマットコードと対応付けて記憶されたラベルフォーマットの読み出しを行う（ステップＳ９０４）。
【００３８】
ラベルフォーマットが読み出されると（ステップＳ９０５：Ｎｏ）、表示制御部２１１は、商品名や消費期限や品番や値段等を含む印字情報１００７、ラベルＬを印字する印字枚数などの印字情報を入力するためのテンキー１０１３、テンキー１０１３から入力された印字枚数などの印字情報が表示された入力欄１０１４などが配置された画面Ｘ３をＬＣＤ１１ａに表示する（ステップＳ９０６）。なお、テンキー１０１３から印字枚数が入力されていない初期状態においては、入力欄１０１４には印字枚数：「１」が表示されるものとする。
【００３９】
第２受付部２１３は、画面Ｘ３がＬＣＤ１１ａに表示されると、確定／発行キー１３が押下されて、画面Ｘ３に表示された印字情報１００７および入力欄１０１４に表示された印字情報である印字枚数に従ったラベルＬの印字を指示する印字指示を待つ（ステップＳ９０７：Ｎｏ）。そして、確定／発行キー１３が押下されて印字指示が有ると（ステップＳ９０７：Ｙｅｓ）、第２受付部２１３は、画面Ｘ３に表示された印字情報１００７および入力欄１０１４に表示された印字枚数に従ったラベルＬへの印字を指示する印字指示を受け付ける（ステップＳ９０８）。
【００４０】
第２受付部２１３によって印字指示が受け付けられると、印字制御部２１５は、画面Ｘ３に表示された印字情報をプリンタ２７に出力する（ステップＳ９０９）。そして、プリンタ２７は、印字制御部２１５から出力された印字情報に従って、第１受付部２１２により受け付けた商品のラベルＬを印字する（ステップＳ９１０）。なお、表示制御部２１１は、プリンタ２７によってラベルＬの印字が行われている間、ラベルＬの印字を中止する発行中止ボタン１００８やラベルＬの印字を一時停止する一時停止ボタン１００９が配置された画面Ｘ４をＬＣＤ１１ａに表示する。
【００４１】
ラベルフォーマットの読み出しにエラーが発生した場合（ステップＳ９０５：Ｙｅｓ）若しくは品番の読み出しにエラーが発生した場合（ステップＳ９０３：Ｙｅｓ）、表示制御部２１１は、ラベルフォーマットまたは品番の読み出しにエラーが発生したことを表すエラー表示をＬＣＤ１１ａに表示するとともに（ステップＳ９１１，ステップＳ９１３）、発生したエラーをクリアする（ステップＳ９１２，ステップＳ９１４）。
【００４２】
次に、図１１および図１２を用いて、切替部２１４により即時印字に切り替えられた場合の印字処理について説明する。なお、以下の説明では、通常印字に切り替えられた場合の印字処理と異なる箇所についてのみ説明する。即時印字に切り替えられると、表示制御部２１１は、ワンタッチキー１００１、リストボタン１００２、品番発行ボタン１００３、発行設定ボタン１００４、剥離発行ボタン１００５等に加えて、即時印字に切り替えられたことを表すモード表示１１０１：「ダイレクト」が配置された画面Ｘ５をＬＣＤ１１ａに表示する。
【００４３】
そして、ラベルフォーマットが読み出されると（ステップＳ９０５：Ｎｏ）、印字制御部２１５は、第１受付部２１２により受け付けた商品に予め設定された印字情報をプリンタ２７に出力する（ステップＳ１１０１）。そして、プリンタ２７は、印字制御部２１５から出力された、予め設定された印字情報に従ってラベルＬを印字する（ステップＳ１１０２）。なお、表示制御部２１１は、通常印字に切り替えられた場合と同様に、プリンタ２７によってラベルＬの印字が行われている間、ラベルＬの印字を中止する発行中止ボタン１００８やラベルＬの印字を一時停止する一時停止ボタン１００９が配置された画面Ｘ４をＬＣＤ１１ａに表示する。
【００４４】
このように本実施形態にかかるラベルプリンタ１によれば、商品のラベルＬを印字するプリンタ２７と、プリンタ２７によりラベルＬを印字する商品を受け付ける第１受付部２１２と、受け付けた商品のラベルＬの印字に関わる印字情報をＬＣＤ１１ａに表示する表示制御部２１１と、ＬＣＤ１１ａに印字情報が表示された後に、受け付けた商品のラベルＬの印字指示を受け付ける第２受付部２１３と、印字指示を受け付けた場合にＬＣＤ１１ａに表示した印字情報に従って商品のラベルＬを印字する通常印字、または商品毎に予め設定された印字情報に従って商品のラベルＬを印字する即時印字に切り替える切替部２１４と、を備え、プリンタ２７は、通常印字に切り替えられた場合、印字指示を受け付けた後にＬＣＤ１１ａに表示した印字情報に従って受け付けた商品のラベルＬを印字し、即時印字に切り替えられた場合、受け付けた商品に予め設定された印字情報に従って当該受け付けた商品のラベルＬを印字することにより、店舗の混雑状況等に応じて、オペレータが任意に通常印字または即時印字に切り替えることができるので、ラベルプリンタ１の利便性を向上させることができる。
【００４５】
なお、本実施形態のラベルプリンタ１で実行される制御プログラムは、ＲＯＭ等に予め組み込まれて提供されるが、これに限定するものではなく、インストール可能な形式又は実行可能な形式のファイルでＣＤ−ＲＯＭ、フレキシブルディスク（ＦＤ）、ＣＤ−Ｒ、ＤＶＤ（Digital  Versatile  Disk）等のコンピュータで読み取り可能な記録媒体に記録して提供するように構成してもよい。
【００４６】
さらに、本実施形態のラベルプリンタ１で実行される制御プログラムを、インターネット等のネットワークに接続されたコンピュータ上に格納し、ネットワーク経由でダウンロードさせることにより提供するように構成しても良い。また、本実施形態のラベルプリンタ１で実行される制御プログラムをインターネット等のネットワーク経由で提供または配布するように構成しても良い。
【００４７】
本実施形態のラベルプリンタ１で実行される制御プログラムは、上述した各部（表示制御部２１１、第１受付部２１２、第２受付部２１３、切替部２１４、印字制御部２１５など）を含むモジュール構成となっており、実際のハードウェアとしてはＣＰＵ２１（プロセッサ）が上記ＲＯＭから制御プログラムを読み出して実行することにより上記各部が主記憶装置上にロードされ、表示制御部２１１、第１受付部２１２、第２受付部２１３、切替部２１４、印字制御部２１５などが主記憶装置上に生成されるようになっている。
【００４８】
本発明の実施形態を説明したが、この実施形態は、例として提示したものであり、発明の範囲を限定することは意図していない。この新規な実施形態は、その他の様々な形態で実施されることが可能であり、発明の要旨を逸脱しない範囲で、種々の省略、置き換え、変更を行うことができる。この実施形態は、発明の範囲や要旨に含まれるとともに、特許請求の範囲に記載された発明とその均等の範囲に含まれる。
【符号の説明】
【００４９】
１  ラベルプリンタ
１１  表示入力部
１１a  ＬＣＤ
１１ｂ  タッチパネル
２１  ＣＰＵ
２２  フラッシュＲＯＭ
２３  ＲＡＭ
２７  プリンタ
２１１  表示制御部
２１２  第１受付部
２１３  第２受付部
２１４  切替部
【先行技術文献】
【特許文献】
【００５０】
【特許文献１】特開２００７−９８８５３号公報
【図１】
0005722815.tif 000002
【図２】
0005722815.tif 000003
【図３】
0005722815.tif 000004
【図４】
0005722815.tif 000005
【図５】
0005722815.tif 000006
【図６】
0005722815.tif 000007
【図７】
0005722815.tif 000008
【図８】
0005722815.tif 000009
【図９】
0005722815.tif 000010
【図１０】
0005722815.tif 000011
【図１１】
0005722815.tif 000012
【図１２】
0005722815.tif 000013